(57)【要約】【課題】二重床用暖房パネルが配管溝に沿って割れることを防止し、床パネルを簡単に施工でき、暖房面積を自由に変更でき、様々なモジュールを有する建物に設置できる。【解決手段】長尺状の二重床用普通パネル８と、この二重床用普通パネル８と略同じ長手方向の長さを有する二重床用暖房パネル９とを備える。前記二重床用普通パネル８と二重床用暖房パネル９とを含む複数の床パネル４を少なくとも短手方向に並べて配置する。短手方向に隣接する床パネル４の少なくとも角部７を支持脚３に載置する。二重床用暖房パネル９の上面に長手方向に亘るパイプ溝２３を形成する。二重床用暖房パネル９を短手方向の長さが二重床用普通パネル８の短手方向の長さの１／Ｎ（Ｎは２以上の整数とする）となり且つ厚みが二重床用普通パネル８の厚みと略同じとなるように形成する。【選択図】        図１
2004176371.tif 000002
【特許請求の範囲】
【請求項１】
床スラブに複数の支持脚を立設し、長尺状の二重床用普通パネルと、この二重床用普通パネルと略同じ長手方向の長さを有する二重床用暖房パネルとを備え、前記二重床用普通パネルと二重床用暖房パネルとを含む複数の床パネルを少なくとも短手方向に並べて配置し、各床パネルの少なくとも角部を支持脚に載置すると共に、短手方向に隣接する両床パネルの対応する角部を共通の支持脚に載置し、二重床用暖房パネルを、基板と、基板の上面に積層した均熱板とで構成し、基板の上面に長手方向に亘るパイプ溝を形成し、該パイプ溝に配設した温水パイプにより床暖房を行う床暖房機能付き二重床において、二重床用暖房パネルを短手方向の長さが二重床用普通パネルの短手方向の長さの略１／Ｎ（Ｎは２以上の整数とする）となり且つ厚みが二重床用普通パネルの厚みと略同じとなるように形成して成ることを特徴とする床暖房機能付き二重床。
【請求項２】
上記床パネルを長手方向に複数並設し、長手方向に隣接する床パネルの少なくとも角部を支持脚に載置し、二重床用暖房パネルの上面に床材を載置し、二重床用普通パネルもしくは二重床用暖房パネルからなる一方の床パネルとこの一方の床パネルの長手方向に隣接する二重床用暖房パネルからなる他方の床パネルとを隙間を介して配置し、前記他方の床パネルの均熱板に、均熱板の平面視においてパイプ溝の一方の床パネル側の最端部と重なる部分を切欠いて切欠凹部を設けて成ることを特徴とする請求項１記載の床暖房機能付き二重床。
【請求項３】
上記基板の上面に長手方向に亘るパイプ溝を２つ並設し、基板の上面の長手方向の両端部に両パイプ溝の長手方向の両端部同士を連通接続する２つの外側接続溝を形成して成ることを特徴とする請求項１又は請求項２記載の床暖房機能付き二重床。
【請求項４】
上記基板の両外側接続溝の夫々を平面視において互いに向き合う方向に凹となる略半円弧状に形成して成ることを特徴とする請求項３記載の床暖房機能付き二重床。
【請求項５】
上記基板の長手方向に沿った１対の側面のうち、一方の側面の長手方向の中央部に長手方向にずれた２つの第１連結口を設け、他方の側面に長手方向において前記２つの第１連結口の夫々と重なる２つの第２連結口を設け、基板の上面の長手方向の中央部に、前記両第１連結口の夫々と第１連結口側に位置するパイプ溝の長手方向の中央部の両第１連結口の夫々に対応する２箇所とを連通接続する２つの第１連結溝を設けると共に、前記両第２連結口の夫々と第２連結口側に位置するパイプ溝の長手方向の中央部の両第２連結口の夫々に対応する２箇所とを連通接続する２つの第２連結溝を設けて成ることを特徴とする請求項３又は請求項４記載の床暖房機能付き二重床。
【請求項６】
上記両第１連結溝及び両第２連結溝を平面視略１／４円弧状に形成し、複数の二重床用暖房パネルを短手方向に隣接して配置した際に、短手方向に隣接する二重床用暖房パネルのうち、一方の二重床用暖房パネルの両第１連結溝と、この一方の二重床用暖房パネルに隣接する他方の二重床用暖房パネルの両第２連結溝とにより形成される２つの半円弧状の溝の夫々が平面視において互いに向き合う方向に凸となるようにしたことを特徴とする請求項５記載の床暖房機能付き二重床。
【請求項７】
上記二重床用暖房パネルの長手方向において第１連結溝近傍に位置する箇所を支持脚に載置して成ることを特徴とする請求項５又は請求項６記載の床暖房機能付き二重床。
【請求項８】
上記基板の長手方向に沿った１対の側面のうち、一方の側面の長手方向の両端部に第３連結口を設け、他方の側面に長手方向において前記両第３連結口の夫々と重なる２つの第４連結口を設け、基板の上面の長手方向の中央部に、両パイプ溝の長手方向の中央部の長手方向にずれた２箇所同士を連通接続する２つの内側接続溝を設け、基板の上面の長手方向の両端部に、前記両第３連結口の夫々と第３連結口側に位置するパイプ溝の長手方向の両端部の夫々とを連通接続する２つの第３連結溝を設けると共に、前記両第４連結口の夫々と第４連結口側に位置するパイプ溝の長手方向の両端部の夫々とを連通接続する２つの第４連結溝を設けて成ることを特徴とする請求項５〜７のいずれかに記載の床暖房機能付き二重床。
【請求項９】
上記両内側接続溝を平面視において互いに向き合う方向に凸となる半円弧状に形成し、上記両第３連結溝及び両第４連結溝を略１／４円弧状に形成し、複数の二重床用暖房パネルを二重床用暖房パネルの短手方向に隣接して配置した際に、短手方向に隣接する一方の二重床用暖房パネルの両第３連結溝と、この一方の二重床用暖房パネルに隣接する他方の二重床用暖房パネルの両第４連結溝とにより形成される２つの半円弧状の溝の夫々が平面視において互いに向き合う方向に凹となるようにしたことを特徴とする請求項８記載の床暖房機能付き二重床。
【発明の詳細な説明】
【０００１】
【発明の属する技術分野】
本発明は床暖房機能付き二重床に関するものであって、詳しくは、二重床用普通パネルと二重床用暖房パネルとを備え、二重床用普通パネルと二重床用暖房パネルとを含む複数の床パネルを少なくとも短手方向に並設した床暖房機能付き二重床に関するものである。
【０００２】
【従来の技術】
従来から、床スラブに複数の支持脚を立設し、複数の長尺状の二重床用普通パネルを備え、これら複数の二重床用普通パネルを並べて各支持脚に載置した二重床（以下一般の二重床と称す）が知られており、このような一般の二重床は、床スラブと二重床用普通パネルとの間に形成した床下空間により遮音性能を高めており、またこの床下空間を利用して配管や配線を行えるようにしている。またこの一般の二重床における二重床用普通パネルの寸法は一定の長さに規格化されて市販されており、これら規格化された市販の二重床用普通パネルを二重床に備えることでコストダウンを実現している。
【０００３】
また上記一般の二重床とは別に、床の一部を加温して床暖房を行う床暖房機能付き二重床も知られている。この床暖房機能付き二重床は図９に示すように床スラブ２に複数の支持脚３を立設し、温水パイプ１２を配設するための配管溝部１１を有する二重床用暖房パネル９と、二重床用暖房パネル９と略同じ厚みで且つ幅方向の長さが二重床用暖房パネル９よりも短いダミーパネル３０とを備え、この二重床用暖房パネル９と床暖房を行わないダミーパネル３０とを支持脚３上に幅方向に並べて載置し、配管溝部１１に床暖房を行うための温水パイプ１２を配設したものである。このような床暖房機能付き二重床は、二重床用暖房パネル９の温水パイプ１２を利用して床暖房を行うことができる（例えば特許文献１参照）。
【０００４】
【特許文献１】
特開２０００−２２０８５５号公報
【０００５】
【発明が解決しようとする課題】
ところで上記特許文献１に示すものにおいては、二重床用暖房パネル９の配管溝部１１を形成した箇所の強度が弱く、二重床用暖房パネル９に上方から力がかかった場合、二重床用暖房パネル９は配管溝部１１に沿って撓みやすく、この撓みにより二重床用暖房パネルが破損する等の問題がある。このため従来では二重床用暖房パネル９の厚みを厚くして二重床用暖房パネル９に上方から力がかかっても撓まないようにし、そしてダミーパネル３０は、この厚みを厚くした二重床用暖房パネル９の上面とダミーパネル３０の上面とを面一とするために、一般の二重床に用いられる規格化された二重床用普通パネルよりも厚みを厚くしている。ところがこのようにダミーパネル３０の厚みを大きくしなければならないため、ダミーパネル３０として一般の二重床に利用される規格化された安価な二重床用普通パネルを併用することができず、コストがかかってしまうという問題がある。またこのダミーパネル３０と二重床用暖房パネル９とは互いに幅方向の長さが異なるため、上記した一般の二重床を設置した建物と同一モジュールを有する建物にこの床暖房機能付き二重床を設置することができず、またこの場合、ダミーパネル３０と二重床用暖房パネル９とを置き換えたりして暖房面積を変更することができないという問題もある。
【０００６】
そこで本発明者は発明に至る過程において、図１０に示すような床暖房機能付き二重床を想起した。すなわち、この床暖房機能付き二重床は、一般の二重床に用いられる二重床用普通パネル８と、その長手方向及び短手方向の長さが前記二重床用普通パネル８と同じで且つその厚みが前記二重床用普通パネル８よりも大きい長尺状の二重床用暖房パネル９とを備え、二重床用暖房パネル９上面に温水パイプを配設するための配管溝部を形成し、前記二重床用普通パネル８と二重床用暖房パネル９とを含む複数の床パネル４を並べて配置し、二重床用普通パネル８の角部をスペーサ２８を介して支持脚３に載置すると共に二重床用暖房パネル９の角部を支持脚３に直接載置したものである。なお、図中６は床材である。
【０００７】
このように一般の二重床で利用される安価な二重床用普通パネル８を床暖房機能付き二重床に用いることでコストを削減でき、またこの場合、スペーサ２８を介して二重床用普通パネル８を支持脚３に載置することで、二重床用暖房パネル８の上面と二重床用普通パネル９の上面とを面一にできる。また二重床用普通パネル８よりも厚みの大きい二重床用暖房パネル９を備えることで、上方から力がかかった場合に二重床用暖房パネル９が配管溝部に沿って撓むという問題を改善できる。更に二重床用暖房パネル９と二重床用普通パネル８の長手方向を略同じとし、二重床用暖房パネル９と二重床用普通パネル８の短手方向を略同じとすることで、上記した一般の二重床を設置した建物と同一モジュールを有する建物にこの床暖房機能付き二重床を施工することができ、またこの場合、二重床用普通パネル８と二重床用暖房パネル９とを置き換えたりして暖房面積を変更することができる。
【０００８】
しかし、上記図１０に示す床暖房機能付き二重床における二重床用普通パネル８はスペーサ２８を介して支持脚３に載置しなければならず施工作業が非常に面倒である。また二重床用暖房パネル９は支持脚３に直接載置し、二重床用普通パネル８はスペーサ２８を介して支持脚３に載置するというふうに、二重床用暖房パネル９と二重床用普通パネル８の施工方法が異なり、施工作業が複雑になってしまう。
【０００９】
本発明は上記の点に鑑みてなされたものでありその目的とするところは、一般の二重床に用いられる安価な二重床用普通パネルを利用してコストを削減でき、上方から力がかかったとしても二重床用暖房パネルが撓みにくく、二重床用暖房パネルの上面と二重床用普通パネルの上面とを面一にでき、一般の二重床を設置した建物と同一モジュールを有する建物に設置でき、暖房面積を変更でき、尚且つ簡単な施工により設置できる床暖房機能付き二重床を提供することを課題とするものである。
【００１０】
【課題を解決するための手段】
上記課題を解決するために本発明に係る床暖房機能付き二重床は、床スラブ２に複数の支持脚３を立設し、長尺状の二重床用普通パネル８と、この二重床用普通パネル８と略同じ長手方向の長さを有する二重床用暖房パネル９とを備え、前記二重床用普通パネル８と二重床用暖房パネル９とを含む複数の床パネル４を少なくとも短手方向に並べて配置し、各床パネル４の少なくとも角部７を支持脚３に載置すると共に、短手方向に隣接する両床パネル４の対応する角部７ａを共通の支持脚３に載置し、二重床用暖房パネル９を、基板１４と、基板１４の上面に積層した均熱板５とで構成し、基板１４の上面に長手方向に亘るパイプ溝２３を形成し、該パイプ溝２３に配設した温水パイプ１２により床暖房を行う床暖房機能付き二重床において、二重床用暖房パネル９を短手方向の長さが二重床用普通パネル８の短手方向の長さの略１／Ｎ（Ｎは２以上の整数とする）となり且つ厚みが二重床用普通パネル８の厚みと略同じとなるように形成して成ることを特徴とするものである。
【００１１】
このように一般の二重床で利用される市販の二重床用普通パネルを床暖房機能付き二重床に用いることができ、またこの場合、二重床用暖房パネル９の厚みを二重床用普通パネル８の厚みと同じにすることで、支持脚３に載置するだけで二重床用普通パネル８の上面と二重床用暖房パネル９の上面とを略面一にでき、これにより二重床用普通パネル８も二重床用暖房パネル９も同じ施工方法で施工でき、尚且つこの場合、二重床用暖房パネル９は短手方向の長さを二重床用普通パネル８の短手方向の長さの１／Ｎとし、該二重床用暖房パネル９の角部７を支持脚に載置しているので、上記のように二重床用暖房パネル９の厚みを市販の二重床用普通パネル８の厚みと同じとなるように形成したにもかかわらず、二重床用暖房パネル９の強度を強くでき、これにより二重床用暖房パネル９がパイプ溝２３に沿って撓みにくくなる。また、二重床用暖房パネル９と二重床用普通パネル８の長手方向の長さを略同じとし、且つ二重床用暖房パネル９の短手方向の長さを二重床用普通パネル８の短手方向の長さの１／Ｎとすることで、一般の二重床を設置した建物と同一モジュールを有する建物にこの床暖房機能付き二重床を施工することができ、またこの場合、１枚の二重床用普通パネル８とＮ枚（Ｎは２以上の整数）の二重床用暖房パネル９とを置き換えたりして暖房部分の面積を変更することができる。
【００１２】
また請求項２記載の床暖房機能付き二重床は請求項１記載の床暖房機能付き二重床において、上記床パネル４を長手方向に複数並設し、長手方向に隣接する床パネル４の少なくとも角部を支持脚３に載置し、二重床用暖房パネル９の上面に床材６を載置し、二重床用普通パネル８もしくは二重床用暖房パネル９からなる一方の床パネル４ａとこの一方の床パネル４ａの長手方向に隣接する二重床用暖房パネル９からなる他方の床パネル４ｂとを隙間Ａを介して配置し、前記他方の床パネルの均熱板５に、均熱板５の平面視においてパイプ溝２３の一方の床パネル４ａ側の最端部と重なる部分を切欠いて切欠凹部１３を設けて成ることを特徴とするものである。
【００１３】
このように均熱板５に切欠凹部１３を設けることで、他方の床パネル４ｂの基板１４の一方の床パネル４ａ側の端部とその上方の床材６との間に空間Ｂが形成され、これにより他方の床パネル４ｂのパイプ溝２３の一方の床パネル４ａ側の最端部を、前記基板１４と床材６との間の空間Ｂ、一方の床パネル４ａと他方の床パネル４ｂの長手方向における隙間Ａ、と順に介して床下空間Ｃに連通することができ、これにより床パネル４に孔等を形成することなく温水パイプ１２の両端の往路側開口と復路側開口とを床下空間Ｃに配置できる。またこの場合、上記空間Ｂは温水パイプ１２の両端部を曲げるための空間として利用できるので、隙間Ａにおいて温水パイプ１２を無理に曲げる必要がなくなる。
【００１４】
また請求項３記載の床暖房機能付き二重床は、請求項１又は請求項２記載の床暖房機能付き二重床において、上記基板１４の上面に長手方向に亘るパイプ溝２３を２つ並設し、基板１４の上面の長手方向の両端部に両パイプ溝２３ａ、２３ｂの長手方向の両端部同士を連通接続する２つの外側接続溝２６ａ、２６ｂを形成して成ることを特徴とするものである。
【００１５】
このように、基板１４の上面に長手方向に亘るパイプ溝２３を２つ並設し、基板１４の上面の長手方向の両端部に両パイプ溝２３ａ、２３ｂの長手方向の両端部同士を連通接続する２つの外側接続溝２６ａ、２６ｂを形成することで、一本の温水パイプ１２を両外側接続溝２６ａ、２６ｂのいずれか一方で折り返して配設でき、これにより１本の温水パイプ１２の両端の往路側開口と復路側開口とを二重床用暖房パネル９の短手方向の一方の端部側もしくは他方の端部側のいずれかに選択的に集めて配置することが可能となる。
【００１６】
また請求項４記載の床暖房機能付き二重床は、請求項３記載の床暖房機能付き二重床において、上記基板１４の両外側接続溝２６ａ、２６ｂの夫々を平面視において互いに向き合う方向に凹となる略半円弧状に形成して成ることを特徴とするものである。
【００１７】
このように基板１４の両外側接続溝２６ａ、２６ｂの夫々を平面視において互いに向き合う方向に凹となる略半円弧状に形成することで、両外側接続溝２６ａ、２６ｂに配設した温水パイプ１２の折れをなくすことができる。
【００１８】
また請求項５記載の床暖房機能付き二重床は、請求項３又は請求項４記載の床暖房機能付き二重床において、上記基板１４の長手方向に沿った１対の側面１４ａ、１４ｂのうち、一方の側面１４ａの長手方向の中央部に長手方向にずれた２つの第１連結口１５ａ、１５ｂを設け、他方の側面１４ｂに長手方向において前記２つの第１連結口１５ａ、１５ｂの夫々と重なる２つの第２連結口１６ａ、１６ｂを設け、基板１４の上面の長手方向の中央部に、前記両第１連結口１５ａ、１５ｂの夫々と第１連結口１５側に位置するパイプ溝２３ａの長手方向の中央部の両第１連結口１５ａ、１５ｂの夫々に対応する２箇所とを連通接続する２つの第１連結溝１９ａ、１９ｂを設けると共に、前記両第２連結口１６ａ、１６ｂの夫々と第２連結口１６側に位置するパイプ溝２３ｂの長手方向の中央部の両第２連結口１６ａ、１６ｂの夫々に対応する２箇所とを連通接続する２つの第２連結溝２０ａ、２０ｂを設けて成ることを特徴とするものである。
【００１９】
このように二重床用暖房パネル９に両第１連結溝１９ａ、１９ｂ及び両第２連結溝２０ａ、２０ｂを設けることで、二重床用暖房パネル９を短手方向に隣接して配置した場合、両第１連結溝１９ａ、１９ｂ及び両第２連結溝２０ａ、２０ｂを介して、一本の温水パイプ１２を短手方向に隣接する複数の二重床用暖房パネル９に亘って一筆書き状に配設することができる。
【００２０】
また請求項６記載の床暖房機能付き二重床は、請求項５記載の床暖房機能付き二重床において、上記両第１連結溝１９ａ、１９ｂ及び両第２連結溝２０ａ、２０ｂを平面視略１／４円弧状に形成し、複数の二重床用暖房パネル９を短手方向に隣接して配置した際に、短手方向に隣接する二重床用暖房パネル９のうち、一方の二重床用暖房パネル９の両第１連結溝１９ａ、１９ｂと、この一方の二重床用暖房パネル９に隣接する他方の二重床用暖房パネル９の両第２連結溝２０ａ、２０ｂとにより形成される２つの半円弧状の溝の夫々が平面視において互いに向き合う方向に凸となるようにしたことを特徴とするものである。
【００２１】
このように両第１連結溝１９ａ、１９ｂ及び両第２連結溝２０ａ、２０ｂを平面視略１／４円弧状に形成し、複数の二重床用暖房パネル９を二重床用暖房パネル９の短手方向に隣接して配置した際に、両第１連結溝１９ａ、１９ｂ及び両第２連結溝２０ａ、２０ｂにより形成される２つの半円弧状の溝の夫々が平面視において互いに向き合う方向に凸となるようにすることで、両第１連結溝１９ａ、１９ｂ及び両第２連結溝２０ａ、２０ｂに配設した温水パイプ１２の折れをなくすことができる。
【００２２】
また請求項７記載の床暖房機能付き二重床は、請求項５又は請求項６記載の床暖房機能付き二重床において、上記二重床用暖房パネル９の長手方向において第１連結溝１９近傍に位置する箇所を支持脚３に載置して成ることを特徴とするものである。
【００２３】
このように二重床用暖房パネル９の長手方向において第１連結溝１９近傍に位置する箇所を支持脚３に載置することで、二重床用暖房パネル９の長手方向において撓み易い部分である両第１連結溝１９ａ１９ｂ、両第２連結溝２０ａ、２０ｂが集中する箇所を支持脚３にて支持することができ、これにより二重床用暖房パネル９がより一層撓み難くなる。
【００２４】
また請求項８記載の床暖房機能付き二重床は、請求項５〜７のいずれかに記載の床暖房機能付き二重床において、上記基板１４の長手方向に沿った１対の側面１４ａ、１４ｂのうち、一方の側面１４ａの長手方向の両端部に第３連結口１７ａ、１７ｂを設け、他方の側面１４ｂに長手方向において前記両第３連結口１７ａ、１７ｂの夫々と重なる２つの第４連結口１８ａ、１８ｂを設け、基板１４の上面の長手方向の中央部に両パイプ溝２３ａ、２３ｂの長手方向の中央部の長手方向にずれた２箇所同士を連通接続する２つの内側接続溝２７ａ、２７ｂを設け、基板１４の上面の長手方向の両端部に、前記両第３連結口１７ａ、１７ｂの夫々と第３連結口１７側に位置するパイプ溝２３ａの長手方向の両端部の夫々とを連通接続する２つの第３連結溝２１ａ、２１ｂを設けると共に、前記両第４連結口１８ａ、１８ｂの夫々と第４連結口１８側に位置するパイプ溝２３ｂの長手方向の両端部の夫々とを連通接続する２つの第４連結溝２２ａ、２２ｂを設けて成ることを特徴とするものである。
【００２５】
このように両内側接続溝２７ａ、２７ｂ、両第３連結溝２１ａ、２１ｂ、両第４連結溝２２ａ、２２ｂを設けることで、二重床用暖房パネル９を短手方向に隣接して配置した場合、両第３連結溝２１ａ、２１ｂ及び第４連結溝２２ａ、２２ｂを介して、一本の温水パイプ１２を短手方向に隣接する複数の二重床用暖房パネル９に亘って一筆書き状に配設することができ、これによってより一層自由に温水パイプ１２の配置を変更できるようになる。
【００２６】
また請求項９記載の床暖房機能付き二重床は、請求項８記載の床暖房機能付き二重床において、上記両内側接続溝２７ａ、２７ｂを平面視において互いに向き合う方向に凸となる半円弧状に形成し、上記両第３連結溝２１ａ、２１ｂ及び両第４連結溝２２ａ、２２ｂを略１／４円弧状に形成し、複数の二重床用暖房パネル９を二重床用暖房パネル９の短手方向に隣接して配置した際に、両第３連結溝２１ａ、２１ｂ及び両第４連結溝２２ａ、２２ｂにより形成される２つの半円弧状の溝の夫々が平面視において互いに向き合う方向に凹となるようにしたことを特徴とするものである。
【００２７】
このように、上記両内側接続溝２６ａ、２６ｂを平面視において互いに向き合う方向に凸となる半円弧状に形成し、上記両第３連結溝２１ａ、２１ｂ及び両第４連結溝２２ａ、２２ｂを略１／４円弧状に形成し、複数の二重床用暖房パネル９を二重床用暖房パネル９の短手方向に隣接して配置した際に、両第３連結溝及２１ａ、２１ｂ及び両第４連結溝２２ａ、２２ｂにより形成される２つの半円弧状の溝の夫々が平面視において互いに向き合う方向に凹となるようにすることで、両内側接続溝２７ａ、２７ｂ、両第３連結溝２１ａ、２１ｂ、両第４連結溝２２ａ、２２ｂに配設した温水パイプ１２の折れをなくすことができる。
【００２８】
【発明の実施の形態】
以下、本発明を添付図面に示す実施形態に基づいて説明する。図１には本実施形態における床暖房機能付き二重床１の平面図、図２にはこの床暖房機能付き二重床の要部拡大図が図示されている。この床暖房機能付き二重床１は、建物の床スラブ２に並べて立設した複数の支持脚３と、長尺状の二重床用普通パネル８と長尺状の二重床用暖房パネル９を含む複数の床パネル４とを備えている。
【００２９】
各支持脚３は図２に示すように側断面略Ｉ字状であり、床スラブ２上に載置されるベース部２４と、ベース部２４から立設される軸部２５と、軸部２５の上端部に設けた平面視正方形状の床パネル載置部２９とからなる。なお、上記軸部２５をボルト等で構成し、支持脚３の床パネル載置部２９を軸部２５に対して高さ調節自在に接続し、床スラブ２の上面から床パネル載置部２９の上面までの距離を変更できるようにしても良いものとする。
【００３０】
上記二重床用普通パネル８としては、従来例に示した一般の二重床に用いられる市販の二重床用普通パネルを使用する。この市販の二重床用普通パネルはその寸法が規格化されており、本実施形態においては一般的に最も利用されている６００ｍｍ×１８００ｍｍ、厚み２５ｍｍの寸法を有する市販のパーティクルボードを二重床用普通パネル８として使用する。
【００３１】
二重床用暖房パネル９は、その下面が支持脚３の床パネル載置部２９に載置される長尺状の基板１４と、基板１４の上面に積層した基板１４の上面の略全面を覆う均熱板５とで構成してあり、この二重床用暖房パネル９は二重床用普通パネル８と略同じ長手方向の長さ（１７９５ｍｍ）を有している。またこの二重床用暖房パネル９は短手方向の長さが二重床用普通パネル８の短手方向の長さの略１／２（２９５ｍｍ）となり且つ厚みが二重床用普通パネル８の厚みと略同じ（約２５ｍｍ）となるように形成されている。なお、本実施形態においては二重床用暖房パネル９は短手方向の長さを二重床用普通パネル８の短手方向の長さの略１／２としたが、二重床用暖房パネル９の短手方向の長さを二重床用普通パネル８の短手方向の長さの１／３、１／４、・・としても良く、二重床用暖房パネル９の短手方向の長さは二重床用普通パネル８の短手方向の長さの略１／Ｎ（Ｎは２以上の整数とする）であれば良いものとする。
【００３２】
上記基板１４は合板（厚み２１ｍｍ）であり、この基板１４の上面には長手方向に亘るパイプ溝２３を有する図３の破線に示すような配管溝部１１（溝幅１０．５ｍｍ、溝深さ９．５ｍｍ）が形成されている。配管溝部１１には後述する二重床用暖房パネル９上面に載置した床材６を均熱板５を介して加温するための温水パイプ１２が配設されている。温水パイプ１２はポリエチレンのような合成樹脂製の柔軟なパイプ（外径１０ｍｍ、内径７ｍｍ）であり、その両端の往路側開口及び復路側開口は図示しない熱源機に連通接続している。熱源機としては例えば水を加温するための加熱手段と、加熱手段により加温された温水を温水パイプ１２内に循環させるポンプとを備えたものを用いる。
【００３３】
均熱板５は温水パイプ１１の熱を床材６に均等に伝えるものであり、図示は省略するが、その下面が支持脚３の上面に載置される合板（厚さ４ｍｍ）と、合板の上面に貼着したアルミ板等の金属板（厚さ０．０５ｍｍ）とからなる。
【００３４】
そして上記配管溝部１１に温水パイプ１２を配設した二重床用暖房パネル９と、二重床用普通パネル８とを含む複数の床パネル４は短手方向に並べて配置されており、短手方向に隣接する両床パネル４は隙間Ｄを介して配置されている。この短手方向に隣接する床パネル４の夫々の角部７は図１に示すように前述した複数の支持脚３の床パネル載置部２９の上面に載置されており、またこの短手方向に隣接する両床パネル４の対応する（短手方向に隣接する）角部７ａは共通の支持脚３に載置してある。そして本実施形態においては、図１に示すように上記床パネル４の夫々の角部７に加えて、二重床用暖房パネル９の短手方向の両端部且つ長手方向の中央部に位置する箇所（二箇所）も支持脚３に載置してある（なおこれについては後に詳述する）。なお、上記床パネル４の夫々の角部７のみを支持脚３に載置しても良いものとする。
【００３５】
上記複数の床パネル４の上面には床材６を載置してあり、しかして上記床暖房機能付き二重床１は温水パイプ１２により二重床用暖房パネル９上面に載置した床材６を均熱板５を介して加温することで床暖房を行うことができる。また床パネル４は床スラブ２上面から所定間隔を隔てた状態で支持脚３に支持されることとなり、この床スラブ２と床パネル４との間に形成された床下空間Ｃにより遮音性能が高まり、且つこの床下空間Ｃを利用して配管や配線を行うことが可能となる。
【００３６】
加えて本実施形態における暖房機能付き二重床は以下に示すような利点を有している。すなわち、一般の二重床で利用される安価な二重床用普通パネルを床暖房機能付き二重床に用いることでコストを削減でき、またこの場合、二重床用暖房パネル９の厚みを二重床用普通パネル８の厚みと同じにすることで、支持脚３に載置するだけで二重床用普通パネル８の上面と二重床用暖房パネル９の上面とを略面一にでき、これにより図１０に示すように二重床用普通パネル８をスペーサ２８を介して支持脚３に載置することなく、二重床用普通パネル８も二重床用暖房パネル９も同じ施工方法で簡単に施工できる。また上記のように二重床用暖房パネル９の厚みを厚みの薄い二重床用普通パネル８の厚みと略同じとなるように形成した場合、二重床用暖房パネル９には長手方向に亘るパイプ溝２３が形成されているので、二重床用暖房パネル９は二重床用普通パネル８と比して撓み易いという問題があるが、本実施形態における二重床用暖房パネル９は、短手方向の長さを二重床用普通パネル８の短手方向の長さの１／Ｎとし、この二重床用暖房パネル９の角部７を支持脚３に載置しているので、二重床用暖房パネル９の厚みを二重床用普通パネル８の厚みと略同じにしたにもかかわらず、二重床用暖房パネル９の強度を強くでき、これにより二重床用暖房パネル９がパイプ溝２３に沿って撓むことを防止し、この結果、二重床用暖房パネルの破損を防止できる。また、二重床用暖房パネル９と二重床用普通パネル８の長手方向の長さを略同じとし、且つ二重床用暖房パネル９の短手方向の長さを二重床用普通パネル８の短手方向の長さの１／Ｎとすることで、一般の二重床を設置した建物と同一モジュールを有する建物にこの床暖房機能付き二重床を施工することができ、またこの場合、１枚の二重床用普通パネル８とＮ枚（Ｎは２以上の整数）の二重床用暖房パネル９とを置き換えたりして暖房部分の面積を変更することができ、尚且つこの場合、短手方向における二重床用暖房パネル９（暖房部分）の配置の自由度も増す。
【００３７】
次に前述した配管溝部１１について詳述する。なお、以下の説明では、説明を簡略化するために、基板１４の長手方向に沿った１対の側面のうち、一方の側面及び他方の側面を夫々第１側面１４ａ、第２側面１４ｂと称し、基板１４の短手方向に沿った１対の側面のうち、一方の側面及び他方の側面を夫々第３側面、第４側面と称す。
【００３８】
基板１４の第１側面１４ａの長手方向の中央部には長手方向にずれた２つの第１連結口１５ａ、１５ｂを設けてあり、両第１連結口１５ａ、１５ｂは基板１４の短手方向に伸びる中心線を対称軸として対称に配されている。そして基板１４の第２側面１４ｂには長手方向において前記２つの第１連結口１５ａ、１５ｂの夫々と重なる２つの第２連結口１６ａ、１６ｂを設けてある。
【００３９】
また基板１４の第１側面１４ａの長手方向の両端部には第３連結口１７ａ、１７ｂを設けてあり、両第３連結口１７ａ、１７ｂは基板１４の短手方向に伸びる中心線を対称軸として対称に配されている。そして基板１４の第２側面１４ｂには長手方向において前記両第３連結口１７ａ、１７ｂの夫々と重なる２つの第４連結口１８ａ、１８ｂを設けてある。なお、上記第１〜４連結口１５、１６、１７、１８は上方にも開口しているものである。
【００４０】
配管溝部１１は、基板１４の長手方向に亘る２つの平行なパイプ溝２３ａ、２３ｂと、基板１４の長手方向の両端部に形成した両パイプ溝２３ａ、２３ｂ間に位置する２つの外側接続溝２６ａ、２６ｂと、基板１４の長手方向の中央部に形成した両パイプ溝２３ａ、２３ｂ間に位置する２つの内側接続溝２７ａ、２７ｂと、基板１４の長手方向の中央部に形成した第１側面１４ａ側のパイプ溝２３ａよりも更に第１側面１４ａ側に位置する２つの第１連結溝１９ａ、１９ｂと、基板１４の長手方向の中央部に形成した第２側面１４ｂ側のパイプ溝２３ｂよりも更に第２側面１４ｂ側に位置する２つの２つの第２連結溝２０ａと、基板１４の長手方向の両端部に形成した第１側面１４ａ側のパイプ溝２３ａよりも更に第１側面１４ａ側に位置する２つの第３連結溝２１ａ、２１ｂと、基板１４の長手方向の中央部に形成した第２側面１４ｂ側のパイプ溝２３ｂよりも更に第２側面１４ｂ側に位置する２つの第４連結溝２２ａ、２２ｂとからなる。
【００４１】
両パイプ溝２３ａ、２３ｂは基板１４の長手方向に伸びる中心線を対称軸として対称に配されており、両パイプ溝２３ａ、２３ｂの間隔は二重床用暖房パネル９の短手方向の長さの略１／２（１５０ｍｍ）である。
【００４２】
両外側接続溝２６ａ、２６ｂは上記両パイプ溝２３ａ、２３ｂの長手方向における両側最端部よりもやや内側の両端部同士を連通接続するものであり、両外側接続溝２６ａ、２６ｂは短手方向に伸びる中心線を対称軸として対称に配されている。また両外側接続溝２６ａ、２６ｂの夫々は平面視略半円弧状に形成され、夫々の円弧は互いに向き合う方向に凹となっている。
【００４３】
両内側接続溝２７ａ、２７ｂは上記両パイプ溝２３ａ、２３ｂの夫々の長手方向における中央部の長手方向にずれた二箇所同士、すなわち長手方向における中央部の両側同士を連通接続するものであり、両内側接続溝２７ａ、２７ｂは基板１４の短手方向に伸びる中心線を対称軸として対称に配されている。また両外側接続溝２７ａ、２７ｂの夫々は平面視略半円弧状に形成され、夫々の円弧は互いに向き合う方向に凸となっている。
【００４４】
両第１連結溝１９ａ、１９ｂは、前記両第１連結口１５ａ、１５ｂの夫々と第１側面１４ａ側（第１連結口１５側）に位置するパイプ溝２３ａの長手方向の中央部の両第１連結口１５ａ、１５ｂの夫々に対応する２箇所（すなわちパイプ溝２３ａの内側接続溝２７ａ、２７ｂを接続した箇所）とを連通接続するものであり、また第２連結溝２０ａ、２０ｂは前記両第２連結口１６ａ、１６ｂの夫々と第２側面１４ｂ側（第２連結口１６側）に位置するパイプ溝２３ｂの長手方向の中央部の両第２連結口１６ａ、１６ｂの夫々に対応する２箇所（すなわちパイプ溝２３ｂの内側接続溝２７ａ、２７ｂを接続した箇所）とを連通接続するものである。また両第１連結溝１９ａ、１９ｂ及び両第２連結溝２０ａ、２０ｂの夫々は平面視略１／４円弧状に形成しており、図４に示すように複数の二重床用暖房パネル９を二重床用暖房パネル９の短手方向に隣接して配置した際に、短手方向に隣接する一方の二重床用暖房パネル９の両第１連結溝１９ａ、１９ｂと、この一方の二重床用暖房パネル９に短手方向に隣接する他方の二重床用暖房パネル９の両第２連結溝２０ａ、２０ｂとにより形成される２つの半円弧状の溝の夫々が平面視において互いに向き合う方向に凸となるようにしている。
【００４５】
また両第３連結溝２１ａ、２１ｂは両第３連結口１７ａ、１７ｂの夫々と第１側面１４ａ側（第３連結口１７側）に位置するパイプ溝２３ａの長手方向において両側最端部よりもやや内側に位置する両端部の夫々（すなわちパイプ溝２３ａの外側接続溝２６ａ、２６ｂを接続した箇所）とを連通接続するものであり、また両第４連結溝２２ａ、２２ｂは前記両第４連結口１８ａ、１８ｂの夫々と第２側面１４ｂ側（第４連結口１８側）に位置するパイプ溝２３ｂの長手方向における両側最端部よりもやや内側の両端部の夫々（すなわちパイプ溝２３ｂの外側接続溝２６ａ、２６ｂを接続した箇所）とを連通接続するものである。また上記両第３連結溝２１ａ、２１ｂ及び両第４連結溝２２ａ、２２ｂは略１／４円弧状に形成され、複数の二重床用暖房パネル９を二重床用暖房パネル９の短手方向に隣接して配置した際に、短手方向に隣接する一方の二重床用暖房パネル９の両第３連結溝２１ａ、２１ｂと、この一方の二重床用暖房パネル９に隣接する他方の二重床用暖房パネル９の両第４連結溝２２ａ、２２ｂとにより形成される２つの半円弧状の溝の夫々が平面視において互いに向き合う方向に凹となるようにしている。なお、上記した半円弧状に形成した外側接続溝２６及び両内側接続溝２７、略１／４円弧状に形成した第１〜４連結溝１９、２０、２１、２２は全て曲率半径を同じ（７５ｍｍ）に形成しているものとする。
【００４６】
そして本実施形態においては、上記二重床用暖房パネル９の長手方向において第１連結溝１９近傍に位置する箇所を支持脚３に載置してある。詳述すると、図１に示すように二重床用暖房パネル９の短手方向の両端部且つ長手方向において両第１連結溝１９ａ、１９ｂの夫々の近傍に位置する２箇所（計４箇所）を夫々支持脚３に載置している。この支持脚３に載置した二重床用暖房パネル９の長手方向において両第１連結溝１９ａ、１９ｂの夫々の近傍に位置する２箇所は、二重床用暖房パネル９の短手方向に伸びる中心線を対称軸として対称である。なお、短手方向に隣接する両二重床用暖房パネル９の対応する上記の４箇所は図１に示すように共通の支持脚３に載置しているものとする。
【００４７】
上記のように配管溝部１１を形成したのは以下の理由による。すなわち、基板１４の上面に長手方向に亘るパイプ溝を２つ並設し、基板１４の上面の長手方向の両端部に両パイプ溝２３ａ、２３ｂの長手方向の両端部同士を連通接続する２つの外側接続溝２６ａ、２６ｂを形成することで、一本の温水パイプ１２を外側接続溝２６で折り返すことができ、例えば図５の実線に示すように基板１４の第３側面１４ｃから温水パイプ１２を差し込んで、一方のパイプ溝２３ａ、第４側面１４ｄ側の外側接続溝２６ｂ、他方のパイプ溝２３ｂ、と順に通し、基板１４の第三側面１４ｃ側から出したり、また基板１４の第４側面１４ｄから温水パイプ１２を差し込んで、一方のパイプ溝２３ａ、第３側面１４ｃ側の外側接続溝２６ｂ、他方のパイプ溝２３ｂ、と順に通し、基板１４の第４側面１４ｃ側から出したりして、温水パイプ１２を配設することができて、１本の温水パイプ１２の両端の往路側開口と復路側開口とを二重床用暖房パネル９の短手方向の一方の端部側もしくは他方の端部側のいずれかに選択的に集めて配置することが可能となる（なお図中破線は温水パイプ１２を配設していない配管溝部１１である）。またこれにより熱源機を一方の側面１４ｃ側にのみ設けるだけで温水パイプ１２に温水を供給することが可能となる。なお、本実施形態においては基板１４に上記パイプ溝２３及び外側接続溝２６に加えて第１〜４連結溝１９、２０、２１、２２と、内側接続溝２７を設けた例を示したが、パイプ溝２３及び外側接続溝２６のみ設けても良く、この場合も同様の作用効果が得られる。
【００４８】
更に本実施形態においては、上記パイプ溝２３及び外側接続溝２６に加えて、上記基板１４の長手方向に沿った１対の側面１４ａ、１４ｂのうち、一方の側面１４ａの長手方向の中央部に長手方向にずれた２つの第１連結口１５ａ、１５ｂを設け、他方の側面１４ｂに長手方向において前記２つの第１連結口１５ａ、１５ｂの夫々と重なる２つの第２連結口２０ａ、２０ｂを設け、基板１４の上面の長手方向の中央部に、前記両第１連結口１５ａ、１５ｂの夫々と第１連結口１５側に位置するパイプ溝２３ａの長手方向の中央部の両第１連結口１５ａ、１５ｂの夫々に対応する２箇所とを連通接続する２つの第１連結溝１９ａ、１９ｂを設けると共に、前記両第２連結口１６ａ、１６ｂの夫々と第２連結口１６側に位置するパイプ溝２３ｂの長手方向の中央部の両第２連結口１６ａ、１６ｂの夫々に対応する２箇所とを連通接続する２つの第２連結溝２０ａ、２０ｂを設けているので、図４に示すように二重床用暖房パネル９を短手方向に隣接して配置した場合、両第１連結溝１９ａ、１９ｂ及び両第２連結溝を介して、一本の温水パイプ１２を短手方向に隣接する複数の二重床用暖房パネル９に亘って一筆書き状に配設することができ、尚且つこの場合、複数の二重床用暖房パネル９に亘って温水パイプ１２を配設したにも関わらず、温水パイプ１２の両端の往路側開口及び復路側開口を１枚の二重床用暖房パネル９の両パイプ溝２３の長手方向の一端側に集めて配置することができる。またこのように短手方向に複数並設した二重床用暖房パネル９の各二重床用暖房パネル９においては、温水パイプ１２の往路側部分と復路側部分とが均等に配設されることとなり、短手方向に隣接する二重床用暖房パネル９毎の温度差をより一層軽減できる。なお本実施形態においては基板１４にパイプ溝２３、外側接続溝２６、第１連結溝１９、第２連結溝２０に加えて、第３連結溝２１、第４連結溝２２、内側接続溝２７を設けた例を示したが、パイプ溝２３、外側接続溝２６、第１連結溝１９、第２連結溝２０のみ設けても良く、この場合も同様の作用効果が得られる。
【００４９】
また上記したように二重床用暖房パネル９の長手方向において第１連結溝近傍１９に位置する箇所を支持脚３に載置しているので、二重床用暖房パネル９の長手方向における撓み易い部分である第１連結溝１９、第２連結溝２０、内側接続溝２７が集中する箇所を支持脚３にて支持することができ、これにより二重床用暖房パネル９がより一層撓み難くなる。
【００５０】
更に本実施形態においては、上記パイプ溝２３、外側接続溝２６、両第１連結溝１９、両第２連結溝２０に加えて、上記基板１４の長手方向に沿った１対の側面１４ａ、１４ｂのうち、一方の側面１４ａの長手方向の両端部に第３連結口１７ａ、１７ｂを設け、他方の側面１４ｂに長手方向において前記両第３連結口１７ａ、１７ｂの夫々と重なる２つの第４連結口１８ａ、１８ｂを設け、基板１４の上面の長手方向の中央部に両パイプ溝２３ａ、２３ｂの長手方向の中央部の長手方向にずれた２箇所同士を連通接続する２つの内側接続溝２７ａ、２７ｂを設け、基板１４の上面の長手方向の両端部に、前記両第３連結口１７ａ、１７ｂの夫々と第３連結口１７側に位置するパイプ溝２３ａの長手方向の両端部の夫々とを連通接続する２つの第３連結溝２１ａ、２１ｂを設けると共に、前記両第４連結口１８ａ、１８ｂの夫々と第４連結口１８側に位置するパイプ溝２３ｂの長手方向の両端部の夫々とを連通接続する２つの第４連結溝２２ａ、２２ｂを設けているので、二重床用暖房パネル９を短手方向に隣接して配置した場合、第３連結溝２１及び第４連結溝２２を介して、一本の温水パイプ１２を短手方向に隣接する複数の二重床用暖房パネル９に亘って一筆書き状に配設することができ、これにより例えば図６に示すように二重床用暖房パネル９の一方のパイプ溝２３ａには温水パイプ１２を配設せず、他方のパイプ溝２３ｂにのみ温水パイプ１２を配設する等、温水パイプ１２の配置をより一層自由に変更できるようになる。
【００５１】
また、本実施形態における二重床用暖房パネル９の角部７、すなわち長手方向において第３連結溝２１、第４連結溝２２、外側接続溝２７の近傍に位置する箇所は支持脚３に載置されているので、二重床用暖房パネル９の長手方向における割れ易い部分である第３連結溝２１、第４連結溝２２、外側接続溝２６が集中する箇所を支持脚３にて支持することができ、これによってより一層二重床用暖房パネル９が撓み難くなる。
【００５２】
また、本実施形態においては、二重床用暖房パネル９の両外側接続溝２６ａ、２６ｂの夫々を平面視において互いに向き合う方向に凹となる略半円弧状に形成し、また上記両第１連結溝１９ａ、１９ｂ及び両第２連結溝２０ａ、２０ｂを平面視略１／４円弧状に形成し、複数の二重床用暖房パネル９を二重床用暖房パネル９の短手方向に隣接して配置した際に、短手方向に隣接する一方の二重床用暖房パネル９の両第１連結溝１９ａ、１９ｂと、この一方の二重床用暖房パネル９に隣接する他方の二重床用暖房パネル９の両第２連結溝２０ａ、２０ｂとにより形成される２つの半円弧状の溝の夫々が平面視において互いに向き合う方向に凸となるようにし、また上記両内側接続溝２７ａ、２７ｂを平面視において互いに向き合う方向に凸となる半円弧状に形成し、上記両第３連結溝２１ａ、２１ｂ及び両第４連結溝２２ａ、２２ｂを略１／４円弧状に形成し、複数の二重床用暖房パネル９を二重床用暖房パネル９の短手方向に隣接して配置した際に、短手方向に隣接する一方の二重床用暖房パネル９の両第３連結溝２１ａ、２１ｂと、この一方の二重床用暖房パネル９に隣接する他方の二重床用暖房パネル９の両第４連結溝２２ａ、２２ｂとにより形成される２つの半円弧状の溝の夫々が平面視において互いに向き合う方向に凹となるようにしているので、配管溝部１１に配設した温水パイプ１２の折れをなくすことができ、この折れに伴って温水パイプ１２が破損したり、温水パイプ１２内の温水の流れに支障をきたしたりするといったことを防止できる。
【００５３】
次に上記とは異なる第２実施形態を図７及び図８に示す。なお上記実施形態と同一の構成については同一の番号を付与してあり、重複する説明については説明を省略する。
【００５４】
本実施形態においては、図８に示すように上記床パネル４を長手方向にも複数並設し、この長手方向に隣接する床パネル４の少なくとも角部７を支持脚３に載置してある。なお本実施形態における床パネル４も長手方向に隣接する両床パネル４の対応する角部７を共通の支持脚３に載置してあるものとする。そしてこれら床パネル４のうち、二重床用普通パネル８もしくは二重床用暖房パネル８からなる一方の床パネル４ａとこの一方の床パネル４ａの長手方向に隣接する二重床用暖房パネル９からなる他方の床パネル４ｂとは長手方向に隙間Ａを介して配置されている。なお二重床用普通パネル８とこの二重床用普通８パネルの長手方向に隣接する二重床用普通パネル８も長手方向に隙間を介して配置してあっても良いものとする。
【００５５】
前記長手方向に隣接する他方の床パネル４ｂの均熱板５には均熱板５の平面視において両パイプ溝２３ａ、２３ｂの一方の床パネル４ａ側の最端部と重なる部分を切欠いて形成した切欠凹部１３が設けられている。そして上記の長手方向に隣接する床パネル４上面にも上記実施形態と同様に床材６を載置している。
【００５６】
このように均熱板５に切欠凹部１３を設けることで、他方の床パネル４ｂの基板１４の一方の床パネル４ａ側の端部とその上方の床材６との間に空間Ｂが形成され、これにより他方の床パネル４ｂのパイプ溝２３の一方の床パネル４側の最端部を、前記基板１４と床材６との間の空間Ｂ、一方の床パネル４ａと他方の床パネル４ｂの長手方向における隙間Ａ、と順に介して床下空間Ｃに連通することができ、これにより床パネル４に孔等を形成することなく温水パイプ１２の両端の往路側開口と復路側開口とを床下空間Ｃに配置でき、床下空間Ｃに熱源機を配設できる。またこの場合、上記空間Ｂは温水パイプ１２の両端部を曲げるための空間として利用できるので、隙間Ａにおいて温水パイプ１２を無理に曲げる必要がなくなり、これにより無理な曲げに伴なって温水パイプ１２が破損したり、温水パイプ１２内の温水の流れに支障をきたしたりすることを防止できる。
【００５７】
【発明の効果】
上記のように本発明の請求項１記載の発明にあっては、このように一般の二重床で利用される安価な市販の二重床用普通パネルを床暖房機能付き二重床に用いることでコストを削減でき、またこの場合、二重床用暖房パネルの厚みを二重床用普通パネルの厚みと同じにすることで、支持脚に載置するだけで二重床用普通パネルの上面と二重床用暖房パネルの上面とを略面一にでき、これにより二重床用普通パネルも二重床用暖房パネルも同じ施工方法で簡単に施工でき、尚且つこの場合、二重床用暖房パネルは短手方向の長さを二重床用普通パネルの短手方向の長さの１／Ｎとし、該二重床用暖房パネルの角部を支持脚に載置しているので、上記のように二重床用暖房パネルの厚みを市販の二重床用普通パネルの厚みと略同じとなるように形成したにもかかわらず、二重床用暖房パネルの強度を強くでき、これにより二重床用暖房パネルがパイプ溝に沿って撓みにくく、二重床用暖房パネルの破損を防止できる。また、二重床用暖房パネルと二重床用普通パネルの長手方向の長さを略同じとし、且つ二重床用暖房パネルの短手方向の長さを二重床用普通パネルの短手方向の長さの１／Ｎとすることで、一般の二重床を設置した建物と同一モジュールを有する建物にこの床暖房機能付き二重床を施工することができ、またこの場合、１枚の二重床用普通パネルとＮ枚の二重床用暖房パネルとを置き換えたりして暖房部分の面積を変更することもできる。
【００５８】
また請求項２記載の発明にあっては、均熱板に切欠凹部を設けることで、他方の床パネルの基板の一方の床パネル側の端部とその上方の床材との間に空間が形成され、これにより他方の床パネルのパイプ溝の一方の床パネル側の最端部を、前記基板と床材との間の空間、長手方向における一方の床パネルと他方の床パネルの隙間、と順に介して床下空間に連通することができ、これにより床パネルに孔等を形成することなく温水パイプの両端の往路側開口と復路側開口とを床下空間に配置できる。またこの場合、上記空間は温水パイプの両端部を曲げるための空間として利用できるので、隙間において温水パイプを無理に曲げる必要がなくなり、これにより無理な曲げに伴なって温水パイプが破損したり、温水パイプ内の温水の流れに支障をきたしたりするといったことを防止できる。
【００５９】
また請求項３記載の発明にあっては、上記請求項１又は請求項２記載の発明の効果に加えて、基板の上面に長手方向に亘るパイプ溝を２つ並設し、基板の上面の長手方向の両端部に両パイプ溝の長手方向の両端部同士を連通接続する２つの外側接続溝を形成することで、一本の温水パイプを両外側接続溝のいずれか一方で折り返すことができ、これにより１本の温水パイプの両端の往路側開口と復路側開口とを二重床用暖房パネルの短手方向の一方の端部側もしくは他方の端部側のいずれかに選択的に集めて配置することが可能となる。
【００６０】
また請求項４記載の発明にあっては、上記請求項３記載の発明の効果に加えて、基板の両外側接続溝の夫々を平面視において互いに向き合う方向に凹となる略半円弧状に形成することで、両外側接続溝に配設した温水パイプの折れをなくすことができ、この折れに伴って温水パイプが破損したり、温水パイプ内の温水の流れに支障をきたしたりするといったことを防止できる。
【００６１】
また請求項５記載の発明にあっては、上記請求項３又は請求項４記載の発明の効果に加えて、二重床用暖房パネルに第１連結溝及び第２連結溝を設けることで、二重床用暖房パネルを短手方向に隣接して配置した場合、第１連結溝及び第２連結溝を介して、一本の温水パイプを短手方向に隣接する複数の二重床用暖房パネルに亘って一筆書き状に配設することができる。
【００６２】
また請求項６記載の発明にあっては、上記請求項５記載の発明の効果に加えて、両第１連結溝及び両第２連結溝を平面視略１／４円弧状に形成し、複数の二重床用暖房パネルを二重床用暖房パネルの短手方向に隣接して配置した際に、両第１連結溝及び両第２連結溝により形成される２つの半円弧状の溝の夫々が平面視において互いに向き合う方向に凸となるようにすることで、両第１連結溝及び両第２連結溝に配設した温水パイプの折れをなくすことができ、この折れに伴って温水パイプが破損したり、温水パイプ内の温水の流れに支障をきたしたりするといったことを防止できる。
【００６３】
また請求項７記載の発明にあっては、上記請求項５又は請求項６記載の発明の効果に加えて、二重床用暖房パネルの長手方向において第１連結溝近傍に位置する箇所を支持脚に載置することで、二重床用暖房パネルの長手方向における撓みやすい部分である第１連結溝や第２連結溝が集中する箇所を支持脚にて支持することができ、これにより二重床用暖房パネルがより一層撓み難くなる。
【００６４】
また請求項８記載の発明にあっては、上記請求項５〜７のいずれかに記載の発明の効果に加えて、内側接続溝、第３連結溝、第４連結溝を設けることで、二重床用暖房パネルを短手方向に隣接して配置した場合、第３連結溝及び第４連結溝を介して、一本の温水パイプを短手方向に隣接する複数の二重床用暖房パネルに亘って一筆書き状に配設することができ、これによってより一層自由に温水パイプの配置を変更できるようになる。
【００６５】
また請求項９記載の発明にあっては、上記請求項８記載の発明の効果に加えて、上記両内側接続溝を平面視において互いに向き合う方向に凸となる半円弧状に形成し、上記両第３連結溝及び両第４連結溝を略１／４円弧状に形成し、複数の二重床用暖房パネルを二重床用暖房パネルの短手方向に隣接して配置した際に、両第３連結溝及び両第４連結溝により形成される２つの半円弧状の溝の夫々が平面視において互いに向き合う方向に凹となるようにすることで、内側接続溝、両第３連結溝、両第４連結溝に配設した温水パイプの折れをなくすことができ、この折れに伴って温水パイプが破損したり、温水パイプ内の温水の流れに支障をきたしたりするといったことを防止できる。
【図面の簡単な説明】
【図１】本発明の実施の形態の一例を示す床暖房機能付き二重床の平面図である。
【図２】同上の短手方向に隣接する床パネルを長手方向から見た要部拡大断面図である。
【図３】同上の二重床用暖房パネルを示す平面図である。
【図４】同上の温水パイプの配管パターンの一例を示す平面図である。
【図５】同上の温水パイプの配管パターンの他例を示す平面図である。
【図６】同上の温水パイプの配管パターンの更に他例を示す平面図である。
【図７】異なる実施の形態の一例の床材を載置していない床暖房機能付き二重床を示す平面図である。
【図８】同上の長手方向に隣接する床パネルを短手方向から見た要部拡大断面図である。
【図９】従来の床暖房機能付き二重床を示す断面図である。
【図１０】発明の至る過程において想起した床暖房機能付き二重床を示すものであり、短手方向に隣接する床パネルを長手方向から見た要部拡大断面図である。
【符号の説明】
１  床暖房機能付き二重床
２  床スラブ
３  支持脚
４  床パネル
５  均熱板
６  床材
７  角部
８  二重床用普通パネル
９  二重床用暖房パネル
１２  温水パイプ
１３  切欠凹部
１４  基板
１５  第１連結口
１６  第２連結口
１７  第３連結口
１８  第４連結口
１９  第１連結溝
２０  第２連結溝
２３  パイプ溝
２６  外側接続溝
２７  内側接続溝
Ａ  隙間
Ｂ  空間
Ｃ  床下
【図１】
2004176371.tif 000003
【図２】
2004176371.tif 000004
【図３】
2004176371.tif 000005
【図４】
2004176371.tif 000006
【図５】
2004176371.tif 000007
【図６】
2004176371.tif 000008
【図７】
2004176371.tif 000009
【図８】
2004176371.tif 000010
【図９】
2004176371.tif 000011
【図１０】
2004176371.tif 000012